(57)【要約】【課題】軽量で、既存のペーパーロールホルダーに着脱自在で簡単に取り付けて載置でき、低コストで、身障者や老人等においても容易にペーパーを引き出し且つ片手で切断できる優れたペーパーロール用繰出し切断具の提供を課題とする。【解決手段】ペーパーロールホルダー１に着脱自在に取り付けられるペーパーロール用繰出し切断具で、ペーパーロールホルダーに枢支されたペーパーロール２から繰り出されるペーパー３を上方位置で受けると共に前方へ引き出すペーパー引き出しガイド手段、引き出されたペーパーを前方位置で受けて切断すると共に残留ペーパーの先端を切断位置に保持するペーパー切断保持手段を設け、ペーパーが切断された状態において残留ペーパーがペーパー引き出しガイド手段とペーパー切断保持手段との間で緊張状態に保持されると共に保持されたペーパーの下方に指を差し入れることができる空間が確保される。【選択図】      図１
0003124455.tif 000002
【実用新案登録請求の範囲】
【請求項１】
壁面等に固定等されて使用されるペーパーロールホルダーに対して着脱自在に取り付けられるペーパーロール用繰出し切断具であって、
前記ペーパーロールホルダーに枢支されたペーパーロールから繰り出されるペーパーを前記ペーパーロールの上方位置で受けると共に前方へ引き出すペーパー引き出しガイド手段と、該ペーパー引き出しガイド手段を経て引き出されたペーパーを前記ペーパーロールの前方位置で受けて切断すると共に残留ペーパーの先端をその切断位置に保持するペーパー切断保持手段とを設け、ペーパーが切断された状態において前記残留ペーパーが前記ペーパー引き出しガイド手段とペーパー切断保持手段との間で緊張状態に保持されると共に該保持された残留ペーパーの下方に指を差し入れることができる空間が確保される構成としたことを特徴とするペーパーロール用繰出し切断具。
【請求項２】
ペーパーロールから繰り出されるペーパーを制動しながらペーパー引き出しガイド手段へ導くペーパー制動ガイド手段を設けたことを特徴とする請求項１に記載のペーパーロール用繰出し切断具。
【請求項３】
ペーパー切断保持手段は、ペーパーの切断時に残留ペーパーの先端を櫛歯間に挟持する櫛歯状切断刃であることを特徴とする請求項１又は２に記載のペーパーロール用繰出し切断具。
【請求項４】
櫛歯状切断刃は、その櫛歯配列の中央部が高く両端部にいくに従って低くなるように円弧状に構成してあることを特徴とする請求項３に記載のペーパーロール用繰出し切断具。
【請求項５】
ペーパー引き出しガイド手段は、少なくともペーパーの幅を有し、円弧状に形成された上面でペーパーの裏面から当接することで前方へ引き出し、ペーパーをガイドするペーパー引き出しガイドであることを特徴とする請求項１〜４の何れかに記載のペーパーロール用繰出し切断具。
【請求項６】
ペーパー引き出しガイドは、上面が摩擦部材によるペーパーを引き出す際の滑り止めを兼ねた構成とされていることを特徴とする請求項５に記載のペーパーロール用繰出し切断具。
【請求項７】
ペーパー制動ガイド手段は、ペーパーロールから繰り出されるペーパーの繰り出し付近にペーパーの幅で当接され、ペーパーの引き出しに連動してペーパーを回動分離するローラーと、ペーパーの切断時にペーパーと当接してペーパーの繰り出しにブレーキをかけるブレーキ体とを設けたペーパー制動ガイドであることを特徴とする請求項１〜６の何れかに記載のペーパーロール用繰出し切断具。
【請求項８】
ペーパー制動ガイドは弾性板からなり、ブレーキ体は前記弾性板の一部を片持ち片に切り欠いて構成する共にその片持ち片の上面に摩擦部材を取り付けてあり、ローラーは前記弾性板の一端に設けられていることを特徴とする請求項７に記載のペーパーロール用繰出し切断具。
【請求項９】
ペーパー引き出しガイド手段とペーパー切断保持手段とを備えた本体部と、該本体部をペーパーロールホルダーに対して取り付けるための取付部とからなり、取付部は本体部を該本体部が通常位置と退避位置との間で回動自在となるよう軸支していることを特徴とする請求項１〜８の何れかに記載のペーパーロール用繰出し切断具。
【考案の詳細な説明】
【技術分野】
【０００１】
本考案はトイレットペーパー等のペーパーロールを、ペーパーロールホルダーから繰り出し、切断することができるペーパーロール用繰出し切断具に関する。
【背景技術】
【０００２】
従来、家庭や公共施設等のトイレ等においては、ペーパーロールがペーパーロールホルダーに取り付けられて使用に供されている。このペーパーロールホルダーには、ペーパーロールから繰り出されたペーパーを上から押さえながら、切断も行えるようにした切断押圧板が一般的に設けられている。この従来のペーパーロールホルダーの場合には、ペーパーを引き出す際は力加減によりペーパーロールの回転惰力によって多く引き出されたり、切断においては切断押圧板を押圧してペーパーを切断するので両手が必要となり、身障者には使い勝手が悪く、特に使用時にペーパーの先端部の引き出しが身障者にとって容易に行えないと言う問題があった。
一方、特開２０００−８３８５７号公報や特開２００４−２５４８２４号公報には、片手でペーパーを引き出すことができるよう構成されたトイレットペーパーホルダーが提供されている。
【特許文献１】特開２０００−８３８５７号公報
【特許文献２】特開２００４−２５４８２４号公報
【考案の開示】
【考案が解決しようとする課題】
【０００３】
上記特許文献１、２に示すようなトイレットペーパーホルダーは、片手でペーパーペーパーを引き出すことが容易にできるが、一体成形で構成されているため、既存のトイレットペーパーホルダーを利用することができないと言う問題があった。
【０００４】
そこで本考案は上記従来技術の問題を解決し、軽量で、既存のトイレットペーパーホルダーに簡単に取り付けて載置でき、使用するペーパーロールの消費が低コストで行え、特に身障者や老人等においても容易にペーパーの先端付近をさぐり当てて引き出すことができ、且つ片手によりロールペーパーが切断できる優れたペーパーロール用繰出し切断具の提供を課題とする。
【課題を解決するための手段】
【０００５】
上記課題を達成するため本考案のペーパーロール用繰出し切断具は、壁面等に固定等されて使用されるペーパーロールホルダーに対して着脱自在に取り付けられるペーパーロール用繰出し切断具であって、前記ペーパーロールホルダーに枢支されたペーパーロールから繰り出されるペーパーを前記ペーパーロールの上方位置で受けると共に前方へ引き出すペーパー引き出しガイド手段と、該ペーパー引き出しガイド手段を経て引き出されたペーパーを前記ペーパーロールの前方位置で受けて切断すると共に残留ペーパーの先端をその切断位置に保持するペーパー切断保持手段とを設け、ペーパーが切断された状態において前記残留ペーパーが前記ペーパー引き出しガイド手段とペーパー切断保持手段との間で緊張状態に保持されると共に該保持された残留ペーパーの下方に指を差し入れることができる空間が確保される構成としたことを第１の特徴としている。
また本考案のペーパーロール用繰出し切断具は、上記第１の特徴に加えて、ペーパーロールから繰り出されるペーパーを制動しながらペーパー引き出しガイド手段へ導くペーパー制動ガイド手段を設けたことを第２の特徴としている。
また本考案のペーパーロール用繰出し切断具は、上記第１又は第２の特徴に加えて、ペーパー切断保持手段は、ペーパーの切断時に残留ペーパーの先端を櫛歯間に挟持する櫛歯状切断刃であることを第３の特徴としている。
また本考案のペーパーロール用繰出し切断具は、上記第３の特徴に加えて、櫛歯状切断刃は、その櫛歯配列の中央部が高く両端部にいくに従って低くなるように円弧状に構成してあることを第４の特徴としている。
また本考案のペーパーロール用繰出し切断具は、上記第１〜第４の何れかの特徴に加えて、ペーパー引き出しガイド手段は、少なくともペーパーの幅を有し、円弧状に形成された上面でペーパーの裏面から当接することで前方へ引き出し、ペーパーをガイドするペーパー引き出しガイドであることを第５の特徴としている。
また本考案のペーパーロール用繰出し切断具は、上記第５の特徴に加えて、ペーパー引き出しガイドは、上面が摩擦部材によるペーパーを引き出す際の滑り止めを兼ねた構成とされていることを第６の特徴としている。
また本考案のペーパーロール用繰出し切断具は、上記第１〜第６の何れかの特徴に加えて、ペーパー制動ガイド手段は、ペーパーロールから繰り出されるペーパーの繰り出し付近にペーパーの幅で当接され、ペーパーの引き出しに連動してペーパーを回動分離するローラーと、ペーパーの切断時にペーパーと当接してペーパーの繰り出しにブレーキをかけるブレーキ体とを設けたペーパー制動ガイドであることを第７の特徴としている。
また本考案のペーパーロール用繰出し切断具は、上記第７の特徴に加えて、ペーパー制動ガイドは弾性板からなり、ブレーキ体は前記弾性板の一部を片持ち片に切り欠いて構成する共にその片持ち片の上面に摩擦部材を取り付けてあり、ローラーは前記弾性板の一端に設けられていることを第８の特徴としている。
また本考案のペーパーロール用繰出し切断具は、上記第１〜第８の何れかの特徴に加えて、ペーパー引き出しガイド手段とペーパー切断保持手段とを備えた本体部と、該本体部をペーパーロールホルダーに対して取り付けるための取付部とからなり、取付部は本体部を該本体部が通常位置と退避位置との間で回動自在となるよう軸支していることを第９の特徴としている。
【考案の効果】
【０００６】
請求項１に記載のペーパーロール用繰出し切断具によれば、壁面等に固定等されて使用されるペーパーロールホルダーに対して着脱自在に取り付けられるペーパーロール用繰出し切断具であって、前記ペーパーロールホルダーに枢支されたペーパーロールから繰り出されるペーパーを前記ペーパーロールの上方位置で受けると共に前方へ引き出すペーパー引き出しガイド手段と、該ペーパー引き出しガイド手段を経て引き出されたペーパーを前記ペーパーロールの前方位置で受けて切断すると共に残留ペーパーの先端をその切断位置に保持するペーパー切断保持手段とを設け、ペーパーが切断された状態において前記残留ペーパーが前記ペーパー引き出しガイド手段とペーパー切断保持手段との間で緊張状態に保持されると共に該保持された残留ペーパーの下方に指を差し入れることができる空間が確保されるよう構成したので、
既存のトイレットペーパーホルダーに枢支されたペーパーロールから繰り出されたペーパーは、ペーパー引き出しガイド手段によって前記ペーパーロールの上方位置で受けられ、前方に引き出される。そして前方に引き出されたペーパーは斜め前方下方に進出して、前記ペーパーロールの前方位置でペーパー切断保持手段によって切断される。切断された後の残留ペーパーは、その先端がペーパー切断保持手段の切断位置に保持されることで、該ペーパー切断保持手段と前記ペーパー引き出しガイド手段との間に残留ペーパーが緊張状態で保持されると共に、その下方であるペーパーロールと前記ペーパー切断保持手段との間に空間が確保される。よって使用者は、この空間から容易に指を入れてペーパーをさぐり当てることができる。即ち、老人や身障者いおいても容易にペーパーの先端を探り当てて引き出すことができる。
【０００７】
請求項２に記載のペーパーロール用繰出し切断具によれば、請求項１に記載の構成による作用効果に加えて、ペーパーロールから繰り出されるペーパーを制動しながらペーパー引き出しガイド手段へ導くペーパー制動ガイド手段を設けるよう構成したので、
ペーパーロールから繰り出されたペーパーを途中で弛んだりすることなくペーパー引き出しガイド手段に導くことができ、よってペーパー引き出しガイド手段からのペーパー引き出しを良好に行うことができ、ペーパー切断保持手段での切断、保持を良好に行うことがでる。
【０００８】
また請求項３に記載のペーパーロール用繰出し切断具によれば、請求項１又は２に記載の構成による作用効果に加えて、ペーパー切断保持手段は、ペーパーの切断時に残留ペーパーの先端を櫛歯間に挟持する櫛歯状切断刃であるので、
櫛歯状切断刃においてペーパーを切断した際に、その残留ペーパーの先端を櫛歯状切断刃の櫛歯間に確実に挟持して保持することができる。よって残留ペーパーをペーパー切断保持手段とペーパー引き出しガイド手段との間に確実に緊張させることができる。
【０００９】
また請求項４に記載のペーパーロール用繰出し切断具によれば、請求項３に記載の構成による作用効果に加えて、櫛歯状切断刃は、その櫛歯配列の中央部が高く両端部にいくに従って低くなるように円弧状に構成してあるので、
ペーパーの引き出しの際にはペーパーが刃に引っかかり難く、またペーパーの切断時には櫛歯配列の中央部に切断力が集中して切断が容易に開始されると共に、すみやかに両端部へ切断が伝搬して切断を完了することができる。
【００１０】
また請求項５に記載のペーパーロール用繰出し切断具によれば、請求項１〜４の何れかに記載の構成による作用効果に加えて、ペーパー引き出しガイド手段は、少なくともペーパーの幅を有し、円弧状に形成された上面でペーパーの裏面から当接することで前方へ引き出し、ペーパーをガイドするペーパー引き出しガイドであるので、
ペーパーロールから繰り出されてきたペーパーを、ペーパー引き出しガイドの円弧状の上面によって裏面から滑らないよう当接し、前方に且つ円滑に引き出してペーパー切断保持手段に案内することができる。
【００１１】
また請求項６に記載のペーパーロール用繰出し切断具によれば、請求項５に記載の構成による作用効果に加えて、ペーパー引き出しガイドは、上面が摩擦部材によるペーパーを引き出す際の滑り止めを兼ねた構成とされているので、
ペーパーがペーパー引き出しガイドによって引き出される際に、ペーパーの無駄な引き出しを確実に防止することができる。よってペーパーを、ペーパー引き出しガイドと前方のペーパー切断保持手段との間で緊張状態に保持することができる。
【００１２】
また請求項７に記載のペーパーロール用繰出し切断具によれば、請求項１〜６の何れかに記載の構成による作用効果に加えて、ペーパー制動ガイド手段は、ペーパーロールから繰り出されるペーパーの繰り出し付近にペーパーの幅で当接され、ペーパーの引き出しに連動してペーパーを回動分離するローラーと、ペーパーの切断時にペーパーと当接してペーパーの繰り出しにブレーキをかけるブレーキ体とを設けたペーパー制動ガイドであるので、
ペーパーロールから繰り出されるペーパーは、ペーパー制動ガイドに設けられたローラーによってペーパーロールから確実に分離され、ペーパー引き出しガイド手段へ案内される。またペーパーロールから繰り出されるペーパーは、ペーパーの切断時には、ペーパー制動ガイドに設けられたブレーキ体によってその繰り出しにブレーキがかけられるため、それ以上の繰り出しが阻止される。よってペーパーの切断時にペーパーが余分に繰り出されて弛むことなく緊張状態に保持される。そして前記ローラーとブレーキ体とを設けたペーパー制動ガイドで、ペーパー制動ガイド手段を構成することで、ペーパーロールから繰り出されるペーパーをコンパクトに且つ確実に制動しながら案内することができる。
【００１３】
また請求項８に記載のペーパーロール用繰出し切断具によれば、請求項７に記載の構成による作用効果に加えて、ペーパー制動ガイドは弾性板からなり、ブレーキ体は前記弾性板の一部を片持ち片に切り欠いて構成する共にその片持ち片の上面に摩擦部材を取り付けてあり、ローラーは前記弾性板の一端に設けられているので、
弾性板からなるペーパー制動ガイドの一端に設けられたローラーによって、ペーパーロールから繰り出されるペーパーに対してローラーが弾力を持って確実に接することが可能となり、ペーパーのペーパーロールからの分離と案内とを確実に行うことが可能となる。また弾性板からなるペーパー制動ガイドの一部として構成された片持ち片からなるブレーキ体によって、ペーパーの切断時には、ブレーキ体上面の摩擦部材を弾性を持って確実にペーパーに接触させることが可能となり、ペーパーのそれ以上の繰り出しを確実に防止して、ペーパーを緊張状態に保持することが可能となる。
【００１４】
また請求項９に記載のペーパーロール用繰出し切断具によれば、請求項１〜８の何れかに記載の構成による作用効果に加えて、ペーパー引き出しガイド手段とペーパー切断保持手段とを備えた本体部と、該本体部をペーパーロールホルダーに対して取り付けるための取付部とからなり、取付部は本体部を該本体部が通常位置と退避位置との間で回動自在となるよう軸支しているので、
既存のペーパーホルダーに対して取付部によってペーパーロール用繰出し切断具の全体を着脱自在に取り付けることができると共に、ペーパー引き出しガイド手段やペーパー切断保持手段を備えた本体部を通常位置と退避位置とに移動することができるので、ペーパーホルダーに全体を取り付けたまま、本体部の退避位置でペーパーロールの取り替えが可能となり、また通常位置に復帰させることでペーパーロールからのペーパーの繰り出し、切断ができる。
【考案を実施するための最良の形態】
【００１５】
以下の図面を参照して、本考案の実施形態を詳細に説明する。
図１は本考案の実施形態に係るペーパーロール用繰出し切断具の全体斜視図、図２はペーパーロール用繰出し切断具を構成する本体部、取付部、ペーパーロールホルダーを示した展開斜視図、図３はペーパーロールからペーパーを繰り出し、切断する状態を示す側面図、図４はペーパー引き出しガイドと櫛歯状切断刃との空間に指を入れてペーパーを探り当てる状態を表す斜視図、図５は櫛歯状切断刃の刃部を拡大した正面図、図６は本考案の実施形態に係るペーパーロール用繰出し切断具の本体部の底面図である。
【００１６】
まず図１、図２を参照して、本考案のペーパーロール用繰出し切断具は、ペーパーロールホルダー１と、一対の取付部１００、１００と、本体部２００とで構成される。
【００１７】
図２も参照して、前記ペーパーロールホルダー１は、壁面等に取り付けるための壁面取付部１ａと、壁面取付部１ａの両端にそれぞれ対向する側壁部１ｂ、１ｃと、該側壁部１ｂ、１ｃの内壁に対向してペーパーロール２を着脱自在で嵌着するペーパー枢支バー１ｆとで構成されている。
【００１８】
前記取付部１００には、ペーパーロールホルダー１の側壁部１ｂ、１ｃの側壁上縁部１ｄ、１ｅに着座して取り付けられる着座部１１０と、該着座部１１０の一側縁から立ち上がって構成される立設壁部１２０が設けられている。前記着座部１１０の底部には両面粘着テープが設けられており、これによってペーパーロールホルダー１の側壁上縁部１ｄ、１ｅに着脱自在に貼着できるようなされている。前記立設壁部１２０には、その上縁部に前記本体部２００を水平状態に着座させて安定させるための嵌合切欠部１２１が設けられている。また立設壁部１２０の中央付近には、長手方向に軸承する軸支スライド孔１２２が設けられている。
【００１９】
前記本体部２００には、保持基板２１０と、該保持基板２１０に取り付けられるペーパー切断保持手段としての櫛歯状切断刃２２０と、ペーパー引き出しガイド手段としてのペーパー引き出しガイド２３０と、ペーパー制動ガイド手段としてのペーパー制動ガイド２４０と、開閉蓋２５０とが設けられている。
【００２０】
図３も参照して、前記保持基板２１０は、ペーパーロール２の円形に合わせて円弧状に構成された一対の側壁２１１、２１１と、その間に差し渡された横架支持板２１２と、基端側を覆う被覆曲板２１６を備えている。前記側壁の２１１の頂部に近い上方には、前記取付部１００の嵌合切欠部１２１と嵌合し、本体部２００を水平に且つ安定させることができる水平嵌着板２１３を設けている。また側壁２１１の前部に掛止段部２１４を形成し、後部下端にはネジ孔を開けて本体支持軸２１５を螺着している。
【００２１】
図３、図４を参照して、前記櫛歯状切断刃２２０は、保持基板２１０の両側壁２１１に鋲着され、前方やや下部に延出された刃部フレーム２２１に着脱自在に挿着されて設けられている。この櫛歯状切断刃２２０の位置はペーパーロールホルダー１に枢支されたペーパーロール２の前方位置となる。また刃は前方斜め上方に向けて構成されている。
図５を参照して、櫛歯状切断刃２２０は、刃部２２２の刃先頂点部２２２ａから下方中程までを刃付け部分２２２ｂにし、ペーパー３を切断すれば櫛歯間２２３の刃谷底部２２３ａに、残留ペーパー３の先端３ａが挟持された状態に保持される。
図６を参照して、櫛歯状切断刃２２０は、その櫛歯配列の中央部が高く両端部にいくに従って低くなるように円弧状に形成されている。
【００２２】
図３、図４を参照して、ペーパー引き出しガイド２３０は、対向とする保持基板２１０の前部に形成された掛止段部２１４に横架して取り付けられている。そのペーパー引き出しガイド２３０の長さ寸法は、ペーパーロール２の幅よりも多少長く構成されている。ペーパー引き出しガイド２３０は、摩擦部材取付枠板２３１と、その摩擦部材取付枠板２３１に取り付けられる円弧状摩擦部材２３２とからなる。ペーパー引き出しガイド２３０の上面を形成する前記円弧状摩擦部材２３２は、長さ方向に亘ってペーパー３の裏面に当接する。
【００２３】
ペーパー引き出しガイド２３０は、ペーパー制動ガイド板２４０から繰り出されたペーパー３をペーパーロール２の上方位置で、該ペーパー３の裏面を受け止め、前方に引き出す。引き出されたペーパー３は斜め前方に導かれて、前記ペーパーロール２の前方に位置する櫛歯状切断刃２２０に達する。この時、ペーパー引き出しガイド２３０と櫛歯状切断刃２２０との間に掛け渡されたペーパー３の下方に、指Ｆを差し入れることができる空間Ｓが構成される。
なおペーパー引き出しガイド２３０の円弧状摩擦部材２３２は、ペーパー３の裏面を受け止める摩擦抵抗を高めるため、例えば材質にゴムを使用することができる。
【００２４】
図３、図４、図６を参照して、ペーパー制動ガイド板２４０は、全体がペーパーロール２の表面を覆うように当接する弾性板２４１と、ブレーキ体２４２と、ローラー２４３とから構成される。ペーパー制動ガイド２４０は、前端が蝶番２３３で前記ペーパー引き出しガイド２３０の摩擦部材取付枠板２３１の底面に取り付けられており、ペーパー３が使用されて減少しても、絶えずペーパー３の表面に当接してペーパーロール２に摺動する。
前記ブレーキ体２４２は、弾性体４１のやや後端側に切れ目を設けて構成した片持ち片２４５と、その上面に貼り付けた摩擦部材２４６とからなる。またローラー２４３は弾性板２４１の後端両側に設けられた一対のローラー軸支部２４４、２４４に軸着されている。
【００２５】
前記ブレーキ体２４２は、ペーパー３の切断時にペーパー３の引き出しにブレーキをかける役割をなす。即ち、ペーパー３の切断操作がなされると、ペーパーロール２から繰り出されたペーパー３がブレーキ体２４２の摩擦部材２４６と接触し、ブレーキがかけられるようになされている。よってペーパー３の切断が容易になり、片手で切断し易くなる。
また前記ローラー２４３は、ペーパーロール２からペーパー３が繰り出される際、ペーパー３に摺接した状態で回動し、前記ペーパー３をペーパーロール２からスムーズに分離させる役割を果たす。
【００２６】
なお、弾性板２４１はペーパーロール３の表面を覆うように当接するので、その材質として、例えば弾力のあるプラスチック板等を使用する。
また片持ち片２４６の上部に貼り付けている摩擦部材２４７は、押圧吸収と摩擦抵抗が高まるよう、例えばシリコーンゴム等を使用することができる。
【００２７】
前記開閉蓋２５０は、円弧状の保持基板２１０に軸着された回動軸２５１で開閉自在とされる。開閉蓋２５０の先端付近の下面に、例えばシリコーンゴム等の摩擦部材２５２を取り付け、開閉蓋２５０を閉じるとペーパー引き出しガイド２３０の上面位置に開閉蓋２５０の摩擦部材２５２が当接するようにされている。これによってペーパー引き出しガイド２３０を通過するぺーパー３の摩擦抵抗を増すことができる。なお回動軸２５１の両側に設けた板バネ２５３により、開閉蓋２５０の閉止位置を定めている。
【００２８】
本考案のペーパーロール用繰出し切断具によるペーパーロールからのペーパーの繰り出しと切断の作用を説明する。
ペーパーロール２をペーパーロールホルダー１にセットし、本体部２００を通常位置（図１に示す位置）にすることで、ペーパー３の繰り出し、切断の作業が可能となる。
今、ペーパー制動ガイド２４０をペーパーロール２の表面に当接させた状態で、ペーパーロール２から引き出したぺーパー３をローラー２４３の上面側を通して引っ張る。これによってローラー２４３が回動してペーパーロール２からぺーパー３を分離し、繰り出されたぺーパー３がペーパー制動ガイド２４０の上を通過してペーパー引き出しガイド２３０に案内される。案内されたぺーパー３はペーパー引き出しガイド２３０に受け止められ、摺接状態で更に前方に引き出され、櫛歯状切断刃２２０の上部を通過する。この状態で使用に必要な長さでぺーパー３を下方に引けば、ペーパー制動ガイド２４０がぺーパー３の緊張によりペーパーロール２に接触して押圧する。これによってペーパー制動ガイド２４０のブレーキ体２４２にぺーパー３の裏面が当接してブレーキがかかる。よってぺーパー３を更に引くことで、櫛歯状切断刃２２０によりぺーパー３が切断される。この際、残留ペーパー３の先端３ａが櫛歯状切断刃２２０に挟持されて、その切断位置に保持されると共に、その状態でペーパー引き出しガイド２３０と櫛歯状切断刃２２０との間で緊張状態に保持される。この状態において、残留ペーパー３の下方、櫛歯状切断刃２２０とペーパー引き出しガイド２３０との間に空間Ｓが構成される。よってこの空間Ｓに指Ｆを入れることで、ペーパー３を容易に探り当てて掴むことができる。
【００２９】
本体部２００の通常位置と退避位置について説明する。
まず通常位置へのセットは、ペーパーロールホルダー１に取り付けられた取付部１００の軸支スライド孔１２２に対して、本体部２００の本体支持軸２１５を前記軸支スライド孔１２２の後端側に位置せしめ、更にその状態で本体部２００を前方に回動させて、本体部２００の水平嵌着板２１３を取付部１００の嵌合切欠部１２１に嵌合させて、水平に保持する。これによって本体部２００は通常位置となる。
前記ペーパーロールホルダー１にペーパーロール２を挿着する時には、まず水平嵌着板２１３を取付部１００の嵌合切欠部１２１から外し、次に本体支持軸２１５を前記軸支スライド孔１２２の前端側に移動させ、その状態で本体部２００を後方に回動させる。これによって本体部２００は後方の壁面等に当たることなく、退避位置に退避されるので、ペーパーロール２の挿着が容易にできる。
【図面の簡単な説明】
【００３０】
【図１】本考案の実施形態に係るペーパーロール用繰出し切断具の全体斜視図である。
【図２】本考案の実施形態に係るペーパーロール用繰出し切断具を構成する本体部、取付部、ペーパーロールホルダーを示した展開斜視図である。
【図３】ペーパーロールからペーパーを繰り出し、切断する状態を示す側面図である。
【図４】ペーパー引き出しガイドと櫛歯状切断刃との空間に指を入れてペーパーを探り当てる状態を表す斜視図である。
【図５】櫛歯状切断刃の刃部を拡大した正面図である。
【図６】本考案の実施形態に係るペーパーロール用繰出し切断具の本体部の底面図である。
【符号の説明】
【００３１】
１      ペーパーロールホルダー
２      ペーパーロール
３      ペーパー
３ａ    ペーパーの先端
１００  取付部
１１０  着座部
１２０  立設壁部
１２１  嵌合切欠部
１２２  軸支スライド孔
２００  本体部
２１０  保持基板
２１１  側壁
２１２  横架支持板
２１３  水平嵌着板
２１４  掛止段部
２１５  本体支持軸
２１６  被覆曲板
２２０  櫛歯状切断刃
２２１  刃部フレーム
２２２  刃部
２２３  櫛歯間
２３０  ペーパー引き出しガイド
２３１  摩擦部材取付枠板
２３２  円弧状摩擦部材
２４０  ペーパー制動ガイド
２４１  弾性板
２４２  ブレーキ体
２４３  ローラー
２４５  片持ち片
２４６  摩擦部材
２５０  開閉蓋
２５１  回動軸
２５２  摩擦部材
２５３  板バネ
Ｆ    指
Ｓ    空間
【図１】
0003124455.tif 000003
【図２】
0003124455.tif 000004
【図３】
0003124455.tif 000005
【図４】
0003124455.tif 000006
【図５】
0003124455.tif 000007
【図６】
0003124455.tif 000008